(57)【特許請求の範囲】
【請求項１】
ユーザ情報を保持するためのユーザ情報保持手段と、
コンテンツデータを保持するためのコンテンツデータ保持手段と、
広告データを保持するための広告データ保持手段と、
前記ユーザ情報保持手段に保持されたユーザ情報に基づいて、前記コンテンツ保持手段によって保持されたコンテンツデータおよび前記広告データ保持手段によって保持された広告データを所望の編集形式で編集するための編集手段と、
前記編集手段によって編集されたコンテンツデータを転送先に応じた形式のデータに変換するための変換手段と、
前記変換手段によって変換されたデータを転送するための転送手段とを備え、
前記ユーザ情報は、コンテンツデータおよび広告データのレイアウトを規定した編集形式データを含み、
前記編集手段は、前記ユーザ情報に基づいて、前記コンテンツデータ保持手段から所望のコンテンツデータを取得するためのコンテンツデータ取得手段と、
前記ユーザ情報に基づいて、前記広告データ保持手段から広告データを取得するための広告データ取得手段と、
前記編集形式データに基づいて、前記コンテンツデータ取得手段によって取得されたコンテンツデータおよび前記広告データ取得手段によって取得された広告データを編集するためのコンテンツデータ編集手段とを備える、コンテンツ転送装置。
【請求項２】
前記ユーザ情報は、転送先へデータを転送するときの条件を示す転送条件を含み、
前記コンテンツ転送装置はさらに、前記転送条件を満たすときに前記コンテンツ転送装置を起動するための転送制御手段を含む、請求項１記載のコンテンツ転送装置。
【請求項３】
前記ユーザ情報は、ユーザが所望する情報の種類を示す情報を含み、
前記編集手段は、前記ユーザが所望する情報の種類を示す情報に基づいて、前記コンテンツデータ保持手段に保持されたコンテンツデータを取得して所望の編集形式で編集する、請求項１または２記載のコンテンツ転送装置。
【請求項４】
前記コンテンツ転送装置はさらに、広告データを作成して前記広告データ保持手段に登録するための広告データ登録手段を含む、請求項１〜３のいずれかに記載のコンテンツ転送装置。
【請求項５】
前記コンテンツ転送装置はさらに、広告主データを保持するための広告主データ保持手段と、
広告主データを作成して前記広告主データ保持手段に登録するための広告主データ登録手段とを含み、
前記広告データ登録手段は、前記広告主データに対応して広告データを作成して前記広告データ保持手段に登録する、請求項４記載のコンテンツ転送装置。
【請求項６】
前記コンテンツ転送装置はさらに、前記広告データ保持手段に保持された広告データの使用回数をカウントし、広告料を算出して前記広告主へ通知するための広告料通知手段を含む、請求項５記載のコンテンツ転送装置。
【請求項７】
前記コンテンツ転送装置はさらに、前記ユーザ情報を生成して前記ユーザ情報保持手段に登録するためのユーザ情報登録手段を含む、請求項１〜６のいずれかに記載のコンテンツ転送装置。
【請求項８】
前記コンテンツ転送装置はさらに、前記コンテンツデータを生成して前記コンテンツデータ保持手段に登録するためのコンテンツデータ登録手段を含む、請求項１〜７のいずれかに記載のコンテンツ転送装置。
【請求項９】
ユーザ情報に基づいて、コンピュータが予め保持されたコンテンツデータおよび広告データを所望の編集形式で編集する編集ステップと、
前記コンピュータが前記編集されたコンテンツデータを転送先に応じた形式のデータに変換するステップと、
前記コンピュータが前記変換されたデータを転送するステップとを備え、
前記ユーザ情報は、コンテンツデータおよび広告データのレイアウトを規定した編集形式データを含み、
前記編集ステップは、前記ユーザ情報に基づいて、前記予め保持されたコンテンツデータから所望のコンテンツデータを取得するコンテンツデータ取得ステップと、
前記ユーザ情報に基づいて、前記予め保持された広告データから所望の広告データを取得する広告データ取得ステップと、
前記編集形式データに基づいて、前記コンテンツデータ取得ステップによって取得されたコンテンツデータおよび前記広告データ取得ステップによって取得された広告データを編集するステップとを備える、コンテンツ転送方法。
【請求項１０】
コンピュータにコンテンツ転送方法を実行させるためのプログラムを記録したコンピュータ読取可能な記録媒体であって、
前記コンテンツ転送方法は、ユーザ情報に基づいて、前記コンピュータが予め保持されたコンテンツデータおよび広告データを所望の編集形式で編集する編集ステップと、
前記コンピュータが前記編集されたコンテンツデータを転送先に応じた形式のデータに変換するステップと、
前記コンピュータが前記変換されたデータを転送するステップとを備え、
前記ユーザ情報は、コンテンツデータおよび広告データのレイアウトを規定した編集形式データを含み、
前記編集ステップは、前記ユーザ情報に基づいて、前記予め保持されたコンテンツデータから所望のコンテンツデータを取得するコンテンツデータ取得ステップと、
前記ユーザ情報に基づいて、前記予め保持された広告データから所望の広告データを取得する広告データ取得ステップと、
前記編集形式データに基づいて、前記コンテンツデータ取得ステップによって取得されたコンテンツデータおよび前記広告データ取得ステップによって取得された広告データを編集するステップとを備える、コンテンツ転送プログラムを記録した記録媒体。
【発明の詳細な説明】
【０００１】
【発明の属する技術分野】
本発明は、コンテンツデータを他の装置へ転送する技術に関し、特に、コンテンツデータを編集して転送するコンテンツ転送装置、コンテンツ転送方法およびコンテンツ転送プログラムを記録した媒体に関する。
【０００２】
【従来の技術】
近年、インターネットが広く普及しており、ユーザはインターネット上に公開された様々な情報を取得したり、電子メールによって様々な情報を送受信することが可能である。また、電子メールを受信したときに、メディアの異なる装置へ情報を転送可能な装置も開発されている。これに関連する技術として、特開平１１−１８７２３５号公報に開示された発明がある。
【０００３】
特開平１１−１８７２３５号公報に開示された通信装置は、送受信部と制御部とを備え、送受信部が電子メールを受信すると、制御部は電子メールをファクシミリデータに変換し、送受信部を制御して所定の送信先へファクシミリデータを送信する。
【０００４】
【発明が解決しようとする課題】
しかし、上述した特開平１１−１８７２３５号公報に開示された通信装置においては、電子メールを１件受信する毎にメールデータをファクシミリデータに変換してファクシミリ装置（以下、ＦＡＸと呼ぶ。）へ転送するので、転送先のＦＡＸに対して膨大な量のデータが転送されることがある。この場合に、転送先のＦＡＸは、この膨大な量のデータを出力するために、記録紙を大量に使用するという問題点があった。また、転送先がＦＡＸに固定されているため、転送したい場所にＦＡＸがない場合には、受信したメールデータを変換して転送することができないという問題点があった。
【０００５】
本発明は、上記問題点を解決するためになされたものであり、第１の目的は、転送するコンテンツデータのデータ量を削減することができ、広告料を削減することが可能なコンテンツ転送装置、コンテンツ転送方法およびコンテンツ転送プログラムを記録した記録媒体を提供することである。
【０００６】
第２の目的は、ユーザにとって見やすいレイアウトでコンテンツデータを転送することが可能なコンテンツ転送装置を提供することである。
【０００７】
第３の目的は、転送先の装置の種類を任意に選択することが可能なコンテンツ転送装置を提供することである。
【０００８】
第４の目的は、広告主が支払う広告料を削減することが可能なコンテンツ転送装置を提供することである。
【０００９】
【課題を解決するための手段】
本発明のある局面に従えば、コンテンツ転送装置は、ユーザ情報を保持するためのユーザ情報保持手段と、コンテンツデータを保持するためのコンテンツデータ保持手段と、広告データを保持するための広告データ保持手段と、ユーザ情報保持手段に保持されたユーザ情報に基づいて、コンテンツ保持手段によって保持されたコンテンツデータおよび広告データ保持手段によって保持された広告データを所望の編集形式で編集するための編集手段と、編集手段によって編集されたコンテンツデータを転送先に応じた形式のデータに変換するための変換手段と、変換手段によって変換されたデータを転送するための転送手段とを備え、ユーザ情報は、コンテンツデータおよび広告データのレイアウトを規定した編集形式データを含み、編集手段は、ユーザ情報に基づいて、コンテンツデータ保持手段から所望のコンテンツデータを取得するためのコンテンツデータ取得手段と、ユーザ情報に基づいて、広告データ保持手段から広告データを取得するための広告データ取得手段と、編集形式データに基づいて、コンテンツデータ取得手段によって取得されたコンテンツデータおよび広告データ取得手段によって取得された広告データを編集するためのコンテンツデータ編集手段とを備える。
【００１０】
編集手段は、ユーザ情報保持手段に保持されたユーザ情報に基づいて、コンテンツ保持手段によって保持されたコンテンツデータおよび広告データ保持手段によって保持された広告データを所望の編集形式で編集するので、転送すべきコンテンツデータのデータ量を削減でき、広告料を削減することが可能となる。
また、コンテンツデータ編集手段は、ユーザ情報に基づいて、コンテンツデータおよび広告データを所望の編集形式で編集するので、ユーザが見やすい形式でコンテンツデータおよび広告データを編集することが可能となる。
また、コンテンツデータ編集手段は、レイアウトを規定した編集形式データに基づいて、コンテンツデータおよび広告データを編集するので、ユーザが所望のレイアウトでコンテンツデータおよび広告データを編集することが可能となる。
【００１１】
好ましくは、ユーザ情報は、転送先へデータを転送するときの条件を示す転送条件を含み、コンテンツ転送装置はさらに、転送条件を満たすときにコンテンツ転送装置を起動するための転送制御手段を含む。
【００１２】
転送制御手段は、転送条件を満たすときにコンテンツ転送装置を起動するので、ユーザはコンテンツデータの転送条件を設定することによって、所望するときにコンテンツデータを取得することが可能となる。
【００１３】
さらに好ましくは、ユーザ情報は、ユーザが所望する情報の種類を示す情報を含み、編集手段は、ユーザが所望する情報の種類を示す情報に基づいて、コンテンツデータ保持手段に保持されたコンテンツデータを取得して所望の編集形式で編集する。
【００１４】
編集手段は、ユーザが所望する情報の種類を示す情報に基づいて、コンテンツデータ保持手段に保持されたコンテンツデータを取得して所望の編集形式で編集するので、ユーザは自分の趣味や嗜好に合致したコンテンツデータを取得することが可能となる。
【００２１】
さらに好ましくは、コンテンツ転送装置はさらに、広告データを作成して広告データ保持手段に登録するための広告データ登録手段を含む。
【００２２】
広告データ登録手段は、広告データを作成して広告データ保持手段に登録するので、広告主は自身が作成した広告データを登録することが可能となる。
【００２３】
さらに好ましくは、コンテンツ転送装置はさらに、広告主データを保持するための広告主データ保持手段と、広告主データを作成して広告主データ保持手段に登録するための広告主データ登録手段とを含み、広告データ登録手段は、広告主データに対応して広告データを作成して広告データ保持手段に登録する。
【００２４】
広告主データ登録手段は、広告主データを作成して広告主データ保持手段に登録するので、新規の広告主であっても広告データを作成して登録することが可能となる。
【００２５】
さらに好ましくは、コンテンツ転送装置はさらに、広告データ保持手段に保持された広告データの使用回数をカウントし、広告料を算出して広告主へ通知するための広告料通知手段を含む。
【００２６】
広告料通知手段は、広告データの使用回数をカウントし、広告料を算出して広告主へ通知するので、広告主は広告料を容易に取得することが可能となる。
【００２７】
さらに好ましくは、コンテンツ転送装置はさらに、ユーザ情報を生成してユーザ情報保持手段に登録するためのユーザ情報登録手段を含む。
【００２８】
ユーザ情報登録手段は、ユーザ情報を生成してユーザ情報保持手段に登録するので、ユーザが所望するコンテンツデータや広告データを任意に選択したり、転送先装置の種類を選択したりすることが可能となる。
【００２９】
さらに好ましくは、コンテンツ転送装置はさらに、コンテンツデータを生成してコンテンツデータ保持手段に登録するためのコンテンツデータ登録手段を含む。
【００３０】
コンテンツデータ登録手段は、コンテンツデータを生成してコンテンツデータ保持手段に登録するので、ユーザは任意のコンテンツデータを作成して登録することが可能となる。
【００３１】
本発明の別の局面に従えば、コンテンツ転送方法は、ユーザ情報に基づいて、コンピュータが予め保持されたコンテンツデータおよび広告データを所望の編集形式で編集する編集ステップと、コンピュータが編集されたコンテンツデータを転送先に応じた形式のデータに変換するステップと、コンピュータが前記変換されたデータを転送するステップとを備え、ユーザ情報は、コンテンツデータおよび広告データのレイアウトを規定した編集形式データを含み、編集ステップは、ユーザ情報に基づいて、予め保持されたコンテンツデータから所望のコンテンツデータを取得するコンテンツデータ取得ステップと、ユーザ情報に基づいて、予め保持された広告データから所望の広告データを取得する広告データ取得ステップと、編集形式データに基づいて、コンテンツデータ取得ステップによって取得されたコンテンツデータおよび広告データ取得ステップによって取得された広告データを編集するステップとを備える。
【００３２】
ユーザ情報に基づいて、コンテンツデータおよび広告データを所望の編集形式で編集するので、転送すべきコンテンツデータのデータ量を削減でき、広告料を削減することが可能となる。
【００３３】
本発明のさらに別の局面に従えば、コンピュータにコンテンツ転送方法を実行させるためのプログラムを記録したコンピュータ読取可能な記録媒体であって、コンテンツ転送方法は、ユーザ情報に基づいて、コンピュータが予め保持されたコンテンツデータおよび広告データを所望の編集形式で編集する編集ステップと、コンピュータが編集されたコンテンツデータを転送先に応じた形式のデータに変換するステップと、コンピュータが変換されたデータを転送するステップとを備え、ユーザ情報は、コンテンツデータおよび広告データのレイアウトを規定した編集形式データを含み、編集ステップは、ユーザ情報に基づいて、予め保持されたコンテンツデータから所望のコンテンツデータを取得するコンテンツデータ取得ステップと、ユーザ情報に基づいて、予め保持された広告データから所望の広告データを取得する広告データ取得ステップと、編集形式データに基づいて、コンテンツデータ取得ステップによって取得されたコンテンツデータおよび広告データ取得ステップによって取得された広告データを編集するステップとを備える。
【００３４】
ユーザ情報に基づいて、コンテンツデータおよび広告データを所望の編集形式で編集するので、転送すべきコンテンツデータのデータ量を削減でき、広告料を削減することが可能となる。
【００３５】
【発明の実施の形態】
図１は、本発明の実施の形態におけるコンテンツ転送装置の外観例を示す図である。コンテンツ転送装置は、コンピュータ本体１、グラフィックディスプレイ装置２、ＦＤ（Floppy  Disk）４が装着されるＦＤドライブ３、キーボード５、マウス６、ＣＤ−ＲＯＭ（Compact  Disc-Read  Only  Memory）８が装着されるＣＤ−ＲＯＭ装置７、およびネットワーク通信装置９を含む。コンテンツ転送プログラムは、ＦＤ４またはＣＤ―ＲＯＭ８等の記憶媒体によって供給される。コンテンツ転送プログラムはコンピュータ本体１によって実行され、コンテンツの転送制御を行う。また、コンテンツ転送プログラムは他のコンピュータより通信回線を経由し、コンピュータ本体１に供給されてもよい。
【００３６】
図２は、本発明の実施の形態におけるコンテンツ転送装置の構成例を示すブロック図である。図１に示すコンピュータ本体１は、ＣＰＵ１０、ＲＯＭ（Read  Only  Memory)１１、ＲＡＭ（Random  Access  Memory）１２およびハードディスク１３を含む。ＣＰＵ１０は、グラフィックディスプレイ装置２、磁気テープ装置３、キーボード５、マウス６、ＣＤ−ＲＯＭ装置７、ネットワークＩ／Ｆ９、ＲＯＭ１１、ＲＡＭ１２またはハードディスク１３との間でデータを入出力しながら処理を行う。ＦＤ４またはＣＤ−ＲＯＭ８に記録されたコンテンツ転送プログラムは、ＣＰＵ１０によりＦＤドライブ３またはＣＤ−ＲＯＭ装置７を介して一旦ハードディスク１３に格納される。ＣＰＵ１０は、ハードディスク１３から適宜コンテンツ転送プログラムをＲＡＭ１２にロードして実行することによってコンテンツの転送制御を行う。
【００３７】
図３は、本発明の実施の形態におけるコンテンツ転送装置の機能構成の概略を示すブロック図である。このコンテンツ転送装置は、転送処理の開始を制御する転送処理制御部１００と、ユーザ情報を取得するユーザ情報取得部１０１と、コンテンツデータをユーザの趣味・嗜好データに基づいてフィルタリングするコンテンツデータ取得フィルタ部１０２と、広告データをユーザの趣味・嗜好データに基づいてフィルタリングする広告データ取得フィルタ部１０３と、コンテンツデータ取得フィルタ部１０２によってフィルタリングされたコンテンツデータおよび広告データ取得フィルタ部１０３によってフィルタリングされた広告データを編集するコンテンツデータ編集部１０４と、コンテンツデータ編集部１０４によって編集されたコンテンツデータを転送先の装置で処理可能なデータ形式に変換するコンテンツデータ変換部１０５と、コンテンツデータ変換部１０５によって変換されたコンテンツデータを転送先の装置へ転送するコンテンツデータ転送部１０６と、ユーザ情報が格納されるユーザ情報データベース１０７と、ユーザ情報を生成してユーザ情報データベース１０７に登録するユーザ情報登録部１０８と、コンテンツデータが格納されるコンテンツデータベース１０９と、コンテンツデータを生成してコンテンツデータベース１０９に登録するコンテンツデータ登録部１１０と、広告主データが格納される広告主データベース１１１と、広告主データを生成して広告主データベース１１１に登録する広告主登録部１１２と、広告データが格納される広告データベース１１３と、広告データを生成して広告データベース１１３に登録する広告データ登録部１１４と、広告主に広告料を通知する広告料通知部１１５とを含む。
【００３８】
転送処理制御部１００は、ユーザ情報データベース１０７に予め登録されているコンテンツ転送装置の起動条件を参照し、起動条件を満たしている場合にのみコンテンツ転送装置を起動する。また、ユーザ情報取得部１０１は、ユーザ情報データベース１０７を参照して、コンテンツ転送装置を利用するユーザの趣味・嗜好データ、コンテンツデータの編集形式データおよび転送先データを取得する。そして、ユーザ情報取得部１０１は、趣味・嗜好データをコンテンツデータ取得フィルタ部１０２および広告データ取得フィルタ部１０３へ、コンテンツデータの編集形式データをコンテンツデータ編集部１０４へ、転送先データをコンテンツデータ変換部１０５およびコンテンツデータ転送部１０６へ転送する。
【００３９】
コンテンツデータ取得フィルタ部１０２は、ユーザ情報取得部１０１から転送された趣味・嗜好データに基づいて、コンテンツデータベース１０９に格納されているコンテンツデータをフィルタリングし、ユーザの趣味・嗜好データに合致したコンテンツデータを取得する。
【００４０】
また、広告データ取得フィルタ部１０３は、ユーザ情報取得部１０１から転送された趣味・嗜好データに基づいて、広告データベース１１３に格納されている広告データをフィルタリングし、ユーザの趣味・嗜好に合致した広告データを取得する。なお、広告データ取得フィルタ部１０３は、コンテンツデータ取得フィルタ部１０２によって取得されたコンテンツデータに含まれるキーワードを抽出し、そのキーワードに基づいて広告データベース１１３に格納されている広告データをフィルタリングするようにしても良い。
【００４１】
コンテンツデータ編集部１０４は、ユーザ情報取得部１０１から転送されたコンテンツデータの編集方式データに基づいて、コンテンツデータ取得フィルタ部１０２によってフィルタリングされたコンテンツデータと、広告データ取得フィルタ部１０３によってフィルタリングされた広告データとを編集して転送データを作成し、コンテンツデータ変換部１０５へ転送する。
【００４２】
コンテンツデータ変換部１０５は、ユーザ情報取得部１０１から転送された転送先データに基づいて、コンテンツデータ編集部１０４によって作成された転送データを、転送先の装置において処理可能なデータ形式に変換してコンテンツデータ転送部１０６へ転送する。また、コンテンツデータ転送部１０６は、ユーザ情報取得部１０１から転送された転送先データに基づいて、コンテンツデータ変換部１０５によって変換されたデータを転送先の装置へ転送する。
【００４３】
広告料通知部１１５は、コンテンツデータ編集部１０４によって広告データが編集されるときに、その使用回数をカウントしており、広告データの使用回数に応じて料金を算出して広告主へ通知する。
【００４４】
なお、コンテンツ転送装置に新たな種類の転送先装置を組み込む場合には、コンテンツデータ変換部１０５に新たに組み込まれる転送先装置に対応したコンテンツデータの変換処理プログラムを追加し、コンテンツデータ転送部１０６に新規に組み込まれる転送先の装置に対応した転送処理プログラムを追加することによって可能である。
【００４５】
図４は、本発明の実施の形態におけるユーザ情報登録部１０８によって実行されるユーザ情報入力エディタの表示画面を示す図である。このユーザ情報入力エディタ表示画面は、ユーザＩＤを入力するユーザＩＤ入力フィールド２０１と、個人情報を入力する個人情報入力フィールド２０２および２０３と、ユーザの趣味・嗜好を選択する趣味・嗜好選択フィールド２０４と、転送先装置の種類を選択する転送先選択フィールド２０５と、転送先装置のアドレスを指定する転送先アドレス指定フィールド２０６と、データの編集形式を設定する編集形式フィールド２０７〜２１０と、コンテンツ転送装置を起動するための起動条件を設定する起動条件設定フィールド２１１および２１２と、ユーザ情報入力エディタに設定された内容をユーザ情報データベース１０７へ登録することを指示する設定ボタン２１３と、ユーザ情報入力エディタに設定された内容を無効にすることを指示する中止ボタン２１４とを含む。
【００４６】
ユーザＩＤ入力フィールド２０１は、ユーザを識別するための情報を入力するフィールドであるが、このユーザＩＤ入力フィールド２０１を拡張してユーザパスワード入力フィールドを追加することにより、個人のプライバシを守るセキュリティ機能を付加することも可能である。
【００４７】
また、個人情報入力フィールドは、ユーザの生年月日を入力する生年月日入力フィールド２０２と、ユーザのＥ−ｍａｉｌ（電子メール）アドレスを入力するＥ−ｍａｉｌアドレス入力フィールド２０３とを含む。なお、個人情報に関するフィールドを個別に追加することによって、ユーザ情報データベース１０７に登録する情報を追加することも可能である。
【００４８】
趣味・嗜好選択フィールド２０４は、複数の趣味・嗜好データが記述されているリストの中から１つを選択するような構成となっているが、複数の趣味・嗜好データを個別に変更できるようにしたり、任意の趣味・嗜好データを入力できるようにしても良い。また、転送先選択フィールド２０５は、複数の転送先装置の種類が記述されているリストの中から１つを選択するような構成となっているが、複数の転送先データを個別に変更するようにして複数の転送先装置を選択できるようにしても良い。
【００４９】
転送先アドレス指定フィールド２０６は転送先のアドレスを指定するフィールドであるが、図４に示すように、転送先選択フィールド２０５においてＦＡＸが選択されているので、転送先アドレス指定フィールド２０６にはＦＡＸ番号が指定されている。なお、転送先選択フィールド２０５において電子メールが選択された場合には、ユーザは転送先アドレス指定フィールド２０６に転送先の電子メールアドレスを入力することとなる。
【００５０】
編集形式フィールドは、転送先の装置における出力結果を指定するフィールドであるが、図４に示すように、転送先選択フィールド２０５においてＦＡＸが選択されているので、編集形式フィールドには用紙サイズを指定する用紙サイズ指定フィールド２０７と、転送するページ数を指定するページ数指定フィールド２０８とが表示されている。しかし、転送先選択フィールド２０５において電子メールが選択されている場合には、用紙サイズ指定フィールド２０７の代わりに横の文字数を指定するフィールドが表示され、ページ数指定フィールド２０８の代わりに縦の文字数を指定するフィールドが表示される。
【００５１】
また、転送先指定フィールド２０５において、ユーザが電話を指定した場合には、用紙サイズ指定フィールド２０７およびページ数指定フィールド２０８にデータを入力する必要はなくなる。また、レイアウト決定フィールド２０９は、転送するコンテンツデータの編集形式を設定するフィールドである。このレイアウト決定フィールド２０９は、図４に示すように、２種類のレイアウトの中から編集形式を選択するようになっているが、レイアウトの内容を個別に変更できるようにして様々なレイアウトを選択できるようにすることも可能である。また、見出し設定フィールド２１０は、転送するコンテンツデータの先頭に見出しを付加するか否かを設定するフィールドである。
【００５２】
起動条件設定フィールドは、コンテンツ転送装置を起動してデータ転送を開始する条件を設定する転送条件設定フィールド２１１と、転送開始の閾値を設定する設定数入力フィールド２１２とを含む。図４においては、転送条件設定フィールド２１１に“新規の未転送データが設定数を超えたとき転送”が指定されているので、新規の未転送データが設定数指定フィールド２１２に設定されている“１０”を超えたときに転送先の装置へコンテンツデータが転送されることになる。また、転送条件設定フィールド２１１に“設定時間ごとに転送”が指定されていれば、設定数入力フィールド２１２には設定時間が指定される。また、転送条件設定フィールド２１１に“転送しない（手動）”が指定されていれば、設定数入力フィールド２１２の指定は不要となる。なお、転送条件設定フィールド２１１の内容を個別に変更できるようにして、様々な転送条件を設定可能にしても良い。
【００５３】
図５は、本発明の実施の形態における広告データ登録部１１４によって実行される広告データ入力エディタの表示画面を示す図である。この広告データ入力エディタ表示画面は、広告主ＩＤを入力する広告主ＩＤ入力フィールド３０１と、広告データＩＤを入力する広告ＩＤ入力フィールド３０２と、広告データを入力する広告データ入力フィールド３０３と、広告データ入力エディタに設定された内容を広告データベース１１３に登録することを指示する登録ボタン３０４と、広告データ入力エディタに設定された内容を無効にすることを指示する中止ボタン３０５とを含む。
【００５４】
広告主ＩＤ入力フィールド３０１は、広告主を識別するための情報を入力するためのフィールドであるが、この広告主ＩＤ入力フィールド３０１を拡張して広告主パスワード入力フィールドを追加することにより、広告主のプライバシを守るセキュリティ機能を付加することも可能である。
【００５５】
また、広告ＩＤ入力フィールド３０２は、広告データを識別するための情報を入力するフィールドであるが、新規に広告データを入力する場合には、広告ＩＤ入力フィールド３０２にはユニークな数が自動的に入力される。また、既に登録されている広告データを編集する場合、編集したい広告の広告データＩＤを広告ＩＤ入力フィールド３０２に入力することによって、当該広告データの編集が可能になる。
【００５６】
また、広告データ入力フィールド３０３は、登録したい広告データを入力するためのフィールドであるが、テキストデータの入力だけでなく、画像データを入力するフィールドを個別に追加することによって、画像を用いた広告データを広告データベース１１３に登録することが可能となる。
【００５７】
図６は、本発明の実施の形態におけるコンテンツデータ登録部１１０によって実行されるコンテンツデータ入力エディタの表示画面を示す図である。このコンテンツデータ入力エディタ表示画面は、ユーザＩＤを入力するユーザＩＤ入力フィールド４０１と、コンテンツデータＩＤを入力するコンテンツデータＩＤ入力フィールド４０２と、コンテンツデータを入力するコンテンツデータ入力フィールド４０３と、コンテンツデータ入力エディタに設定された内容をコンテンツデータベース１０９に登録することを指示する登録ボタン４０４と、コンテンツデータ入力エディタに設定された内容を無効にすることを指示する中止ボタン４０５とを含む。
【００５８】
ユーザＩＤ入力フィールド４０１は、コンテンツの登録者を識別するための情報を入力するためのフィールドであるが、このユーザＩＤ入力フィールド４０１を拡張してユーザパスワード入力フィールドを追加することにより、コンテンツの登録者のプライバシを守るセキュリティ機能を付加することも可能である。
【００５９】
また、コンテンツデータＩＤ入力フィールド４０２は、コンテンツデータを識別するための情報を入力するフィールドであるが、新規にコンテンツデータを入力する場合、コンテンツデータＩＤ入力フィールド４０２にはユニークな数が自動的に入力される。また、既に登録されているコンテンツデータを編集する場合には、編集したいコンテンツのコンテンツデータＩＤをコンテンツＩＤ入力フィールド４０２に入力することによって、当該コンテンツデータの編集が可能になる。
【００６０】
また、コンテンツデータ入力フィールド４０３は、登録したいコンテンツデータを入力するためのフィールドであるが、テキストデータの入力だけでなく、画像データを入力するフィールドを個別に追加することによって、画像を用いたコンテンツデータをコンテンツデータベース１０９に登録することが可能となる。
【００６１】
図７は、本発明の実施の形態における広告主データ登録部１１２によって実行される広告主情報入力エディタの表示画面を示す図である。この広告主情報入力エディタ表示画面は、広告主ＩＤを入力する広告主ＩＤ入力フィールド５０１と、広告主の個人情報を入力する広告主情報入力フィールド５０２および５０３と、料金の通知方法を選択する料金通知先選択フィールド５０４と、料金の通知先のアドレスを指定する料金通知先アドレス指定フィールド５０５と、料金の振り込み方法を指定する料金振込方法指定フィールド５０６と、料金を振り込むときに利用するカード番号または口座番号を指定するカード・口座番号指定フィールド５０７とを含む。
【００６２】
広告主ＩＤ入力フィールド５０１は、広告主を識別するための情報を入力するフィールドであるが、この広告主ＩＤ入力フィールド５０１を拡張して広告主パスワード入力フィールドを追加することにより、広告主のプライバシを守るセキュリティ機能を付加することも可能である。なお、広告主ＩＤは、広告主の登録が新規に行なわれたときにユニークな値が与えられ、以後その広告主ＩＤが当該広告主を識別するものとなる。
【００６３】
また、広告主情報入力フィールドは、広告主の生年月日を入力する生年月日入力フィールド５０２と、広告主のＥ−ｍａｉｌアドレスを入力するＥ−ｍａｉｌアドレス入力フィールド５０３とを含む。なお、広告主情報に関するフィールドを個別に追加することによって、広告主データベース１１１に登録する情報を追加することも可能である。
【００６４】
また、料金通知先選択フィールド５０４は、料金の通知方法を選択するフィールドであり、図７に示すように、複数の通知方法が記述されているリストの中から１つを選択するような構成となっているが、複数の通知先データを個別に変更するようにして複数の通知先を選択できるようにしても良い。
【００６５】
料金通知先選択フィールド５０４は、料金の通知先のアドレスを指定するフィールドであるが、図７に示すように、料金通知先選択フィールド５０４においてＦＡＸが選択されているので、通知先アドレスフィールド５０５にはＦＡＸ番号が指定されている。なお、料金通知先選択フィールド５０４において電子メールが選択された場合には、広告主は通知先アドレス指定フィールド５０５に料金の通知先の電子メールアドレスを入力することとなる。
【００６６】
料金振込方法指定フィールド５０６は、料金の振込方法を指定するフィールドであり、図７に示すように、複数の振込方法が記述されているリストの中から１つを選択するような構成となっているが、料金振込方法指定フィールド５０６の内容を個別に変更できるようにし、料金振込方法を選択するようにしても良い。
【００６７】
また、カード・口座番号指定フィールド５０７は、カード番号または口座番号を指定するフィールドであるが、図７に示すように、料金振込方法指定フィールド５０６においてクレジットカードが選択されているので、カード・口座番号指定フィールド５０７にはクレジットカードのカード番号が記述されている。しかし、料金振込方法指定フィールド５０６において銀行振込が選択されている場合には、カード・口座番号指定フィールド５０７には銀行口座の口座番号が指定されることになる。
【００６８】
図８は、本発明の実施の形態におけるコンテンツ転送装置の処理手順を説明するためのフローチャートである。まず、転送処理制御部１００がユーザ情報データベース１０７からコンテンツ転送装置の起動条件を取得し（Ｓ１）、この起動条件が満たされているか否かを判定する（Ｓ２）。転送処理制御部１００は、この起動条件が満たされていないと判定した場合には（Ｓ２，Ｎｏ）、ステップＳ１へ戻って起動条件が満たされるまで繰返しステップＳ２の判定を行なう。転送処理制御部１００によって起動条件が満たされていると判定された場合には（Ｓ２，Ｙｅｓ）、ユーザ情報取得部１０１はユーザ情報データベース１０７から趣味・嗜好データ、編集形式データおよび転送先データを取得する（Ｓ３）。
【００６９】
次に、コンテンツデータ取得フィルタ部１０２は、ユーザ情報取得部１０１によって取得された趣味・嗜好データに基づいて、コンテンツデータベース１０９からコンテンツデータを取得する（Ｓ４）。また、広告データ取得フィルタ部１０４は、ユーザ情報取得部１０１によって取得された趣味・嗜好データに基づいて、広告データベース１１３から広告データを取得する（Ｓ５）。
【００７０】
次に、コンテンツデータ編集部１０４は、ユーザ情報取得部１０１によって取得された編集形式データを参照し、コンテンツデータ取得フィルタ部１０２によって取得されたコンテンツデータおよび広告データ取得フィルタ部１０３によって取得された広告データを編集する（Ｓ６）。そして、コンテンツデータ変換部１０５は、ユーザ情報取得部１０１によって取得された転送先データに基づいて、コンテンツデータ編集部１０４によって編集されたコンテンツデータを転送先の装置において処理可能な形式のデータに変換する（Ｓ７）。
【００７１】
次に、コンテンツデータ転送部１０６は、ユーザ情報取得部１０１によって取得された転送先データに基づいて、コンテンツデータ変換部１０５によって変換されたコンテンツデータを転送する（Ｓ８）。そして、ステップＳ１へ戻って上述した処理を繰り返す。
【００７２】
図９は、図８のステップＳ２の処理をさらに詳細に説明するためのフローチャートである。まず、転送処理制御部１００は、ユーザ情報データベース１０７から取得された転送条件データが“設定時間ごとに転送”であるか否かを判定する（Ｓ２１）。転送条件データが“設定時間ごとに転送”であれば（Ｓ２１，Ｙｅｓ）、転送処理制御部１００は転送の設定時間と現在の時刻とを比較し（Ｓ２２）、転送の設定時間となっているか否かを判定する（Ｓ２５）。転送の設定時間となっている場合には（Ｓ２５，Ｙｅｓ）、転送処理制御部１００はコンテンツ転送装置を起動する（Ｓ２８）。また、転送の設定時間となっていない場合には（Ｓ２５，Ｎｏ）、そのまま処理を終了する。
【００７３】
また、ステップＳ２１において、転送条件データが“設定時間ごとに転送”でなければ（Ｓ２１，Ｎｏ）、ユーザ情報データベース１０７から取得した転送条件データが“未転送データが一定数を超えたとき転送”であるか否かを判定する（Ｓ２３）。転送条件データが“新規の未転送データが一定数を超えたとき転送”であれば（Ｓ２３，Ｙｅｓ）、転送処理制御部１００はコンテンツデータベース１０９を検索し、当該ユーザへ転送すべき未転送データ数を取得する。そして、転送処理制御部１００は、ユーザによって指定されている転送設定数と未転送データ数とを比較する（Ｓ２４）。未転送データ数が転送設定数を超えている場合には（Ｓ２５，Ｙｅｓ）、転送処理制御部１００はコンテンツ転送装置を起動する（Ｓ２８）。また、未転送データ数が転送設定数を超えていない場合には（Ｓ２５，Ｎｏ）、そのまま処理を終了する。
【００７４】
また、ステップＳ２３において、転送条件データが“新規の未転送データが一定数を超えたとき転送”でなければ（Ｓ２３，Ｎｏ）、転送処理制御部１００は起動条件が“手動での転送”であるか否かを判定する（Ｓ２６）。転送条件データが“手動での転送”であれば（Ｓ２６、Ｙｅｓ）、転送処理制御部１００は転送開始命令を受信しているか否かを判定する（Ｓ２７）。この転送開始命令とは、ユーザが電子メールやＦＡＸ等によって転送開始を指示するときに送信する命令である。
【００７５】
転送開始命令を受信していれば（Ｓ２７，Ｙｅｓ）、転送処理制御部１００はコンテンツ転送装置を起動する（Ｓ２８）。また、転送処理制御部１００は転送開始命令を受信していなければ（Ｓ２７，Ｎｏ）、そのまま処理を終了する。また、ステップＳ２６において、起動条件が“手動での転送”でなければ（Ｓ２６、Ｎｏ）、そのまま処理を終了する。
【００７６】
図１０は、図８のステップＳ３の処理をさらに詳細に説明するためのフローチャートである。まず、ユーザ情報取得部１０１は、ユーザ情報データベース１０７を検索し、当該ユーザが存在するか否かを判定する（Ｓ３１）。ユーザ情報取得部１０１は、当該ユーザが存在すると判定すれば（Ｓ３１，Ｙｅｓ）、ユーザ情報データベース１０７から当該ユーザのユーザ情報を取得する（Ｓ３２）。また、ステップＳ３１において、当該ユーザが存在しないと判定すれば（Ｓ３１，Ｎｏ）、そのまま処理を終了する。
【００７７】
図１１は、図８のステップＳ４の処理をさらに詳細に説明するためのフローチャートである。まず、コンテンツデータ取得フィルタ部１０２は、コンテンツデータベース１０９を検索し、当該ユーザに対応するコンテンツデータ、たとえば当該ユーザ宛に受信された電子メールに含まれるコンテンツデータを取得する（Ｓ４１）。このとき、ユーザ情報取得部１０１によって取得された趣味・嗜好データによってフィルタリングするのであれば、コンテンツデータベース１０９から趣味・嗜好データに合致したコンテンツデータを取得する。そして、コンテンツデータベース１０９に対応するコンテンツデータが複数ある場合には（Ｓ４２，Ｙｅｓ）、ステップＳ４１の処理を繰り返す。
【００７８】
図１２は、図８のステップＳ５の処理をさらに詳細に説明するためのフローチャートである。まず、広告データ取得フィルタ部１０３は、広告データベース１１３から趣味・嗜好データに合致した広告データを取得する（Ｓ５１）。また、コンテンツデータ取得フィルタ部１０２によって取得されたコンテンツデータからキーワードを抽出し、このキーワードに基づいて広告データを取得するようにしても良い。そして、広告データベース１１３に対応する広告データが複数ある場合には（Ｓ５２，Ｙｅｓ）、ステップＳ５１の処理を繰り返す。
【００７９】
図１３は、図８のステップＳ６の処理をさらに詳細に説明するためのフローチャートである。まず、コンテンツデータ編集部１０４は、ユーザ情報取得部１０１によって取得された編集形式データを取得し（Ｓ６１）、コンテンツデータ取得フィルタ部１０２によって取得されたコンテンツデータおよび広告データ取得フィルタ部１０３によって取得された広告データを取得する（Ｓ６２）。そして、指定された編集形式（図４に示すレイアウト決定フィールド２０９によって指定されたレイアウト）に従って、コンテンツデータおよび広告データを編集する（Ｓ６３）。
【００８０】
図１４は、図８のステップＳ７の処理をさらに詳細に説明するためのフローチャートである。まず、コンテンツデータ変換部１０５は、ユーザ情報取得部１０１によって取得された転送先データを取得する（Ｓ７１）。そして、コンテンツデータ変換部１０５は、転送先がＦＡＸであるか否かを判定する（Ｓ７２）。転送先がＦＡＸであれば（Ｓ７２，Ｙｅｓ）、コンテンツデータ変換部１０５は、コンテンツデータ編集部１０４によって編集されたコンテンツデータをＦＡＸ出力用データ、たとえばイメージデータに変換して（Ｓ７５）、処理を終了する。
【００８１】
また、転送先がＦＡＸでなければ（Ｓ７２，Ｎｏ）、転送先が電子メールであるか否かを判定する（Ｓ７３）。転送先が電子メールであれば（Ｓ７３，Ｙｅｓ）、コンテンツデータ変換部１０５は、コンテンツデータ編集部１０４によって編集されたコンテンツデータを電子メール形式に変換して（Ｓ７６）、処理を終了する。
【００８２】
また、転送先が電子メールでなければ（Ｓ７３，Ｎｏ）、転送先が電話であるか否かを判定する（Ｓ７４）。転送先が電話であれば（Ｓ７４，Ｙｅｓ）、コンテンツデータ変換部１０５は、コンテンツデータ編集部１０４によって編集されたコンテンツデータを音声データに変換して（Ｓ７７）、処理を終了する。なお、転送先が電話でなければ（Ｓ７４，Ｎｏ）、コンテンツデータ変換部１０５は、選択された他の転送先に応じた形式のデータに変換する。
【００８３】
図１５は、図８のステップＳ８の処理をさらに詳細に説明するためのフローチャートである。まず、コンテンツデータ転送部１０６は、ユーザ情報取得部１０１によって取得された転送先データを取得する（Ｓ８１）。そして、コンテンツデータ転送部１０６は、転送先がＦＡＸであるか否かを判定する（Ｓ８２）。転送先がＦＡＸであれば（Ｓ８２，Ｙｅｓ）、コンテンツデータ転送部１０６は、コンテンツデータ変換部１０５によって変換されたコンテンツデータを転送先アドレスによって指定されたＦＡＸへ転送して（Ｓ８５）、処理を終了する。
【００８４】
また、転送先がＦＡＸでなければ（Ｓ８２，Ｎｏ）、転送先が電子メールであるか否かを判定する（Ｓ８３）。転送先が電子メールであれば（Ｓ８３，Ｙｅｓ）、コンテンツデータ転送部１０６は、コンテンツデータ変換部１０５によって変換されたコンテンツデータを転送先アドレスによって指定されたＥ−ｍａｉｌアドレスへ転送して（Ｓ８６）、処理を終了する。
【００８５】
また、転送先が電子メールでなければ（Ｓ８３，Ｎｏ）、転送先が電話であるか否かを判定する（Ｓ８４）。転送先が電話であれば（Ｓ８４，Ｙｅｓ）、コンテンツデータ転送部１０６は、コンテンツデータ変換部１０５によって変換されたコンテンツデータを転送先アドレスによって指定された電話へ転送して（Ｓ８７）、処理を終了する。なお、転送先が電話でなければ（Ｓ８４，Ｎｏ）、コンテンツデータ転送部１０６は、選択された他の種類の転送先装置に変換されたコンテンツデータを転送する。
【００８６】
なお、本実施の形態においては、コンテンツ転送装置の各部をコンピュータ本体１によって実行されるプログラムにより実現しているが、たとえばユーザ情報登録部１０８の機能をネットワークで接続される他のコンピュータに搭載し、そのコンピュータから適宜本実施の形態におけるコンテンツ転送装置に転送してユーザ情報データベース１０７に登録するようにしても良い。また、本実施の形態においては、コンテンツデータベースを一般的なデータベースとして説明したが、電子メールの受信ボックスやＷＷＷ（World  Wide  Web）ブラウザで閲覧可能なホームページのデータを利用するようにしても良い。
【００８７】
以上説明したように、本実施の形態におけるコンテンツ転送装置によれば、ユーザへ転送するコンテンツデータを編集することによって転送すべきデータ量を削減できるとともに、ユーザにとって見やすいレイアウトでコンテンツデータを転送することが可能となった。また、転送先装置の種類を任意に選択できるので、ユーザに充実したサービスを提供することが可能となった。
【００８８】
また、コンテンツ転送装置は、コンテンツデータにユーザの趣味等に合致した広告データを付加するようにしたので、ユーザにとって有用な情報を提供することが可能となった。また、広告主は、広告内容に興味を示すユーザにのみ広告データを提供することができるので、広告料を削減することが可能となった。
【００８９】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の実施の形態におけるコンテンツ転送装置の外観例を示す図である。
【図２】  本発明の実施の形態におけるコンテンツ転送装置の構成例を示すブロック図である。
【図３】  本発明の実施の形態におけるコンテンツ転送装置の機能構成の概略を示すブロック図である。
【図４】  ユーザ情報登録部１０８によって実行されるユーザ情報入力エディタの表示画面を示す図である。
【図５】  広告データ登録部１１４によって実行される広告データ入力エディタの表示画面を示す図である。
【図６】  コンテンツデータ登録部１１０によって実行されるコンテンツデータ入力エディタの表示画面を示す図である。
【図７】  広告主データ登録部１１２によって実行される広告主情報入力エディタの表示画面を示す図である。
【図８】  本発明の実施の形態におけるコンテンツ転送装置の処理手順を説明するためのフローチャートである。
【図９】  図８のステップＳ２の処理をさらに詳細に説明するためのフローチャートである。
【図１０】  図８のステップＳ３の処理をさらに詳細に説明するためのフローチャートである。
【図１１】  図８のステップＳ４の処理をさらに詳細に説明するためのフローチャートである。
【図１２】  図８のステップＳ５の処理をさらに詳細に説明するためのフローチャートである。
【図１３】  図８のステップＳ６の処理をさらに詳細に説明するためのフローチャートである。
【図１４】  図８のステップＳ７の処理をさらに詳細に説明するためのフローチャートである。
【図１５】  図８のステップＳ８の処理をさらに詳細に説明するためのフローチャートである。
【符号の説明】
１  コンピュータ本体、２  グラフィックディスプレイ装置、３  ＦＤドライブ、４  ＦＤ、５  キーボード、６  マウス、７  ＣＤ−ＲＯＭ装置、８  ＣＤ−ＲＯＭ、９  ネットワーク通信装置、１０  ＣＰＵ、１１  ＲＯＭ、１２  ＲＡＭ、１３  ハードディスク、１００  転送処理制御部、１０１  ユーザ情報取得部、１０２  コンテンツデータ取得フィルタ部、１０３  広告データ取得フィルタ部、１０４  コンテンツデータ編集部、１０５  コンテンツデータ変換部、１０６  コンテンツデータ転送部、１０７  ユーザ情報データベース、１０８  ユーザ情報登録部、１０９  コンテンツデータベース、１１０  コンテンツデータ登録部、１１１  広告主データベース、１１２  広告主データ登録部、１１３広告データベース、１１４  広告データ登録部、１１５  広告料通知部。
【図１】
0004290310.tif 000002
【図２】
0004290310.tif 000003
【図３】
0004290310.tif 000004
【図４】
0004290310.tif 000005
【図５】
0004290310.tif 000006
【図６】
0004290310.tif 000007
【図７】
0004290310.tif 000008
【図８】
0004290310.tif 000009
【図９】
0004290310.tif 000010
【図１０】
0004290310.tif 000011
【図１１】
0004290310.tif 000012
【図１２】
0004290310.tif 000013
【図１３】
0004290310.tif 000014
【図１４】
0004290310.tif 000015
【図１５】
0004290310.tif 000016